【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
転送トランジスタと、前記転送トランジスタに第１のノードを介して接続された増幅トランジスタと、を各々が有する第１の検出用画素及び第２の検出用画素と、
所定電圧を供給する電圧供給部と、
接続スイッチと、
入射光を光電変換する光電変換部と、増幅トランジスタと、前記増幅トランジスタと前記光電変換部とに接続された転送トランジスタとを有する画像取得用画素と、を有し、
前記第１の検出用画素の前記転送トランジスタは、制御線に接続されたゲートを有し、第２のノードと前記第１の検出用画素の前記第１のノードとの間の導通と非導通とを切り替えるように構成されており、
前記第２の検出用画素の前記転送トランジスタは、前記第２のノードと前記第２の検出用画素の前記第１のノードとの間の導通と非導通とを切り替えるように構成されており、
前記接続スイッチは、前記電圧供給部と前記第２のノードとの間に接続されており、
前記画像取得用画素の前記転送トランジスタは、前記制御線に接続されたゲートを有する
ことを特徴とする固体撮像装置。
【請求項２】
制御部を更に有し、
前記画像取得用画素は、リセットトランジスタを更に有し、
前記画像取得用画素の前記転送トランジスタ、前記増幅トランジスタ及び前記リセットトランジスタは、第３のノードに接続されており、
前記制御部は、前記画像取得用画素の前記転送トランジスタと前記リセットトランジスタとが共にオンしている期間に、前記接続スイッチをオフにする
ことを特徴とする請求項１記載の固体撮像装置。
【請求項３】
前記電圧供給部は、値の異なる複数の電圧の中から前記所定電圧を選択する
ことを特徴とする請求項２記載の固体撮像装置。
【請求項４】
複数の前記第１の検出用画素と複数の前記第２の検出用画素と複数の前記画像取得用画素とを含む複数の画素が複数の行及び複数の列に渡って配された画素領域を有し、
前記制御線は、前記画素領域の行毎に設けられている
ことを特徴とする請求項２又は３記載の固体撮像装置。
【請求項５】
複数の前記第１の検出用画素と複数の前記第２の検出用画素とを含む複数の検出用画素を有し、
前記複数の検出用画素は、複数のグループに分けられており、
前記複数のグループの各々は、一部の前記複数の検出用画素として、前記第１の検出用画素と前記第２の検出用画素とを含み、
１つのグループに含まれる前記一部の複数の検出用画素の各々の前記転送トランジスタが接続された前記第２のノードが、前記所定電圧を供給する電圧供給線に共通に接続されている
ことを特徴とする請求項１乃至４のいずれか１項に記載の固体撮像装置。
【請求項６】
前記複数のグループのうちの１つのグループと、前記電圧供給部と、前記接続スイッチとを含む組が複数設けられている
ことを特徴とする請求項５記載の固体撮像装置。
【請求項７】
前記電圧供給線と、別の電圧供給線とを含む複数の電圧供給線を有し、
前記電圧供給部は、前記複数のグループのうちの１つのグループが含む複数の検出用画素の各々の前記転送トランジスタが接続された前記第２のノードに接続された前記電圧供給線に、第１の値の前記所定電圧を供給し、
更に前記電圧供給部は、前記複数のグループのうちの別の１つのグループが含む複数の検出用画素の各々の前記転送トランジスタが接続された前記第２のノードに接続された前記別の電圧供給線に、第２の値の前記所定電圧を供給する
ことを特徴とする請求項５又は６記載の固体撮像装置。
【請求項８】
前記１つのグループが含む複数の検出用画素の少なくとも一部は、互いに異なる行に配されるように複数行に渡って設けられており、
前記電圧供給線は、前記複数行のうちの第１行から第２行に向かう第１方向に沿って延在することを特徴とする請求項７に記載の固体撮像装置。
【請求項９】
前記別の１つのグループが含む複数の検出用画素の少なくとも一部は、互いに異なる行に配されるように複数行に渡って設けられており、
前記別の電圧供給線が、前記第１方向に沿って延在することを特徴とする請求項８に記載の固体撮像装置。
【請求項１０】
遮光された光電変換部を有する遮光画素を更に有し、
前記第１の検出用画素及び前記第２の検出用画素のうちの一の画素と、前記画像取得用画素との間に前記遮光画素が配されている
ことを特徴とする請求項１乃至９のいずれか１項に記載の固体撮像装置。
【請求項１１】
所定電圧を供給する電圧供給部と、第１の検出用画素と、第２の検出用画素と、画像取得用画素と、接続スイッチと、制御線とを有し、前記第１の検出用画素は、第１の転送トランジスタと、前記第１の転送トランジスタに接続された第１のリセットトランジスタと、を有し、前記第２の検出用画素は、第２の転送トランジスタと、前記第２の転送トランジスタに接続された第２のリセットトランジスタと、を有し、前記接続スイッチは、前記電圧供給部と、前記第１の検出用画素の前記第１の転送トランジスタ及び前記第２の検出用画素の前記第２の転送トランジスタが接続された第２のノードと、の間に接続されており、前記画像取得用画素は、光電変換部と、前記光電変換部に接続された第３の転送トランジスタと、前記第３の転送トランジスタに接続された第３のリセットトランジスタと、を有し、前記制御線が、前記第１の転送トランジスタのゲート及び前記第３の転送トランジスタのゲートに接続された固体撮像装置の駆動方法であって、
前記第１の転送トランジスタと前記第１のリセットトランジスタとが共にオンである期間の少なくとも一部の期間に、前記電圧供給部と前記第１の転送トランジスタとの間の電気的経路を非導通とする
ことを特徴とする固体撮像装置の駆動方法。
【請求項１２】
前記固体撮像装置は、複数の前記第１の検出用画素と複数の前記第２の検出用画素と複数の前記画像取得用画素とを含む複数の画素が複数の行及び複数の列に渡って配された画素領域を有し、
前記画素領域の前記複数の行に対して、シャッタ走査と読み出し走査とを行順次で行う際に、
シャッタ走査行において前記画像取得用画素の前記光電変換部をリセットする際に前記第３の転送トランジスタをオンにするタイミングと、読み出し走査行において前記第２の転送トランジスタをオンにするタイミングとが異なっており、
読み出し走査行において前記第２の検出用画素の前記第２の転送トランジスタをオンにするタイミングと、前記所定電圧を前記第２の検出用画素に供給するタイミングとが重なっている
ことを特徴とする請求項１１記載の固体撮像装置の駆動方法。
【請求項１３】
フレーム毎に、前記第１の検出用画素に供給する前記所定電圧を切り替える
ことを特徴とする請求項１２記載の固体撮像装置の駆動方法。
【請求項１４】
請求項１乃至１０のいずれか１項に記載の固体撮像装置と、
前記固体撮像装置から出力される信号を処理する信号処理部と
を有することを特徴とする撮像システム。
【請求項１５】
前記第１の検出用画素及び前記第２の検出用画素から出力される前記信号と期待値とを比較し、前記信号と前記期待値との関係に基づき前記固体撮像装置の異常を検出する異常検出部を更に有する
ことを特徴とする請求項１４記載の撮像システム。
【請求項１６】
移動体であって、
請求項１乃至１０のいずれか１項に記載の固体撮像装置と、
前記画像取得用画素から出力される信号に基づく視差画像から、対象物までの距離情報を取得する距離情報取得手段と、
前記距離情報に基づいて前記移動体を制御する制御手段と
を有することを特徴とする移動体。
【請求項１７】
前記第１の検出用画素及び前記第２の検出用画素から出力される前記信号と期待値との比較を行い、前記比較の結果に基づき前記固体撮像装置の異常を検出する異常検出部を更に有する
ことを特徴とする請求項１６記載の移動体。
【請求項１８】
前記異常の検出を前記移動体の外部に通知する通知手段を更に有する
ことを特徴とする請求項１７記載の移動体。
【請求項１９】
更に表示部を備え、
前記異常の検出を、前記表示部に表示する
ことを特徴とする請求項１７記載の移動体。
【手続補正２】
【補正対象書類名】明細書
【補正対象項目名】０００７
【補正方法】変更
【補正の内容】
【０００７】
本発明の一観点によれば、転送トランジスタと、前記転送トランジスタに第１のノードを介して接続された増幅トランジスタと、を各々が有する第１の検出用画素及び第２の検出用画素と、所定電圧を供給する電圧供給部と、接続スイッチと、入射光を光電変換する光電変換部と、増幅トランジスタと、前記増幅トランジスタと前記光電変換部とに接続された転送トランジスタとを有する画像取得用画素と、を有し、前記第１の検出用画素の前記転送トランジスタは、制御線に接続されたゲートを有し、第２のノードと前記第１の検出用画素の前記第１のノードとの間の導通と非導通とを切り替えるように構成されており、前記第２の検出用画素の前記転送トランジスタは、前記第２のノードと前記第２の検出用画素の前記第１のノードとの間の導通と非導通とを切り替えるように構成されており、前記接続スイッチは、前記電圧供給部と前記第２のノードとの間に接続されており、前記画像取得用画素の前記転送トランジスタは、前記制御線に接続されたゲートを有する固体撮像装置が提供される。
【手続補正３】
【補正対象書類名】明細書
【補正対象項目名】０００８
【補正方法】変更
【補正の内容】
【０００８】
所定電圧を供給する電圧供給部と、第１の検出用画素と、第２の検出用画素と、画像取得用画素と、接続スイッチと、制御線とを有し、前記第１の検出用画素は、第１の転送トランジスタと、前記第１の転送トランジスタに接続された第１のリセットトランジスタと、を有し、前記第２の検出用画素は、第２の転送トランジスタと、前記第２の転送トランジスタに接続された第２のリセットトランジスタと、を有し、前記接続スイッチは、前記電圧供給部と、前記第１の検出用画素の前記第１の転送トランジスタ及び前記第２の検出用画素の前記第２の転送トランジスタが接続された第２のノードと、の間に接続されており、前記画像取得用画素は、光電変換部と、前記光電変換部に接続された第３の転送トランジスタと、前記第３の転送トランジスタに接続された第３のリセットトランジスタと、を有し、前記制御線が、前記第１の転送トランジスタのゲート及び前記第３の転送トランジスタのゲートに接続された固体撮像装置の駆動方法であって、前記第１の転送トランジスタと前記第１のリセットトランジスタとが共にオンである期間の少なくとも一部の期間に、前記電圧供給部と前記第１の転送トランジスタとの間の電気的経路を非導通とする固体撮像装置の駆動方法が提供される。